(57)【要約】【課題】従来の手乾燥装置では、手を早く乾かすためには一度に噴流を手に当てる必要があるが風量が多く必要であるという課題があり、また手を動かさなければ水滴がすべて除去できないという課題がある。【解決手段】ファンモータ５と発熱手段６により温風を発生させ、その温風を送風する噴流発生部のノズル部２を回転させるなどの移動可能化とすることにより、少ない風量で手全体に、万遍なく噴流を接触させることができ、また手を動かさなくても水滴を自動で除去し、効率的に濡れた手を乾燥することができる手乾燥装置１を提供する。【選択図】図１
2007098106.tif 000002
【特許請求の範囲】
【請求項１】
凹状に形成された乾燥室と、前記乾燥室を形成する１つの面から噴流を噴射する噴流発生部を備えたノズル部と、前記噴流発生部から噴出する空気を送出するファンモータとを備えた手乾燥装置であって、前記噴流発生部が移動することを特徴とする手乾燥装置。
【請求項２】
噴流発生部が回転移動することを特徴とする請求項１記載の手乾燥装置。
【請求項３】
噴流発生部は常に乾燥室の上部にあることを特徴とする１または２記載の手乾燥装置。
【請求項４】
ノズル部が回転運動する回転ノズルであることを特徴とする請求項１から３のいずれか記載の手乾燥装置。
【請求項５】
回転ノズルは運転開始と共に回転を始め、運転後は回転が止まるようにしたようにしたことを特徴とする請求項１から４のいずれか記載の手乾燥装置。
【請求項６】
回転ノズルは噴流発生部より発生する噴射反力により回転エネルギーを得る構成としたことを特徴とする請求項１から５のいずれか記載の手乾燥装置。
【請求項７】
回転ノズルをノズル部に備えた軸受と連結したことを特徴とする請求項１から６のいずれか記載の手乾燥装置。
【請求項８】
ファンモータから回転ノズルまでに空気を連通する流路を備え、軸受の内輪側を通過するように前記流路を設けたことを特徴とする請求項７記載の手乾燥装置。
【請求項９】
軸受が、乾燥室を形成する１つの面に備えた静止部に固定されたことを特徴とする請求項７または８記載の手乾燥装置。
【請求項１０】
ファンモータから回転ノズルまでに空気を連通する流路内部に高圧部を備え、軸受は、前記高圧部と大気圧部の両側に接触する構成としたことを特徴とする請求項７から９のいずれか記載の手乾燥装置。
【請求項１１】
軸受はシール付きとし、高圧部と大気圧部の両側に接触する構成としたことを特徴とする請求項７から１０のいずれか記載の手乾燥装置。
【請求項１２】
軸受の外径は回転ノズルの外径より小さいことを特徴とする請求項７から１１のいずれか記載の手乾燥装置。
【請求項１３】
回転ノズルは成形可能な合成樹脂により形成されたことを特徴とする請求項１から１２のいずれか記載の手乾燥装置。
【請求項１４】
噴流の推進方向は乾燥室に向かっていることを特徴とする請求項１から１３のいずれか記載の手乾燥装置。
【請求項１５】
噴流発生部が設置された面は、回転ノズルの回転軸と平行でないことを特徴とする請求項１から１４のいずれか記載の手乾燥装置。
【請求項１６】
回転ノズルの回転軸は、床面に対して平行でないことを特徴とする請求項１から１５のいずれか記載の手乾燥装置。
【請求項１７】
噴流の風速を７０〜１２０ｍ／ｓとしたことを特徴とする請求項１から１６のいずれか記載の手乾燥装置。
【請求項１８】
回転ノズルに制御翼を備え、前記制御翼の空気抵抗により回転数を調節したことを特徴とする請求項１から１７のいずれか記載の手乾燥装置。
【請求項１９】
流路の内にあり、回転ノズルに自転装置を備え、前記自転装置により前記回転ノズルを駆動させる構成としたことを特徴とする請求項１から５または７から１８のいずれか記載の手乾燥装置。
【請求項２０】
ノズル部にモータを備え、回転ノズルを前記モータにて駆動させる構成としたことを特徴とする請求項１から５または７から１８のいずれか記載の手乾燥装置。
【請求項２１】
回転ノズルは、バランスの調節をするバランス調整部を有することを特徴とする請求項１から２０のいずれか記載の手乾燥装置。
【請求項２２】
回転ノズルに設けた噴流発生部の流入側にメッシュを設けたことを特徴とする請求項１から２１のいずれか記載の手乾燥装置。
【請求項２３】
回転ノズルの外側に静止した防護壁を設けたことを特徴とする請求項１から２２のいずれか記載の手乾燥装置。
【請求項２４】
回転ノズルに設置した噴流発生部の形状をスリットとしたことを特徴とする請求項１から２３のいずれか記載の手乾燥装置。
【請求項２５】
回転ノズルを左右対称となるよう複数配置したことを特徴とする請求項１から２４のいずれか記載の手乾燥装置。
【請求項２６】
回転ノズルを複数個設置し、前記回転ノズルが左右で逆回転をすることを特徴とする請求項１から２５のいずれか記載の手乾燥装置。
【請求項２７】
複数個設けた回転ノズル各々の前記回転軸が平行となるように設置したことを特徴とする請求項１から２６のいずれか記載の手乾燥装置。
【請求項２８】
乾燥室は、ファンモータよりも高い位置に設置したことを特徴とする請求項１から２７のいずれか記載の手乾燥装置。
【請求項２９】
回転ノズルを複数個設置し、前記回転ノズルがすべて同一回転数となることを特徴とする請求項１から２８のいずれか記載の手乾燥装置。
【請求項３０】
回転ノズルを複数個設置し、前記回転ノズル各々が異なる回転数となることを特徴とする請求項１から２８のいずれか記載の手乾燥装置。
【請求項３１】
回転ノズルに設置した噴流発生部の形状を複数個の孔または楕円としたことを特徴とする請求項１から２３または２５から３０のいずれか記載の手乾燥装置。
【請求項３２】
噴流発生部を複数設け、それぞれ形状が異なることを特徴とする請求項１から３１のいずれか記載の手乾燥装置。
【請求項３３】
噴流発生部を複数設け、前記噴流発生部の回転軸から最も遠い位置がそれぞれ異なることを特徴とする請求項１から３２のいずれか記載の手乾燥装置。
【請求項３４】
回転ノズルを複数個設置し、前記回転ノズル各々に設置された噴流発生部の形状が異なることを特徴とする請求項１から３３のいずれか記載の手乾燥装置。
【請求項３５】
回転ノズルを複数個設置し、前記回転ノズルの大きさが異なることを特徴とする請求項１から３４のいずれか記載の手乾燥装置。
【請求項３６】
回転ノズルと別に静止した静止ノズルを有することを特徴とする請求項１から３５のいずれか記載の手乾燥装置。
【請求項３７】
静止ノズルが左右にある回転ノズルの間に設置したことを特徴とする請求項１から３６のいずれか記載の手乾燥装置。
【請求項３８】
静止ノズルが左右にある回転ノズルの周辺にあることを特徴とする請求項１から３７のいずれか記載の手乾燥装置。
【請求項３９】
複数個設けた回転ノズル各々の回転軸が交差するように設置されたことを特徴とする請求項１から２６または２８から３８のいずれか記載の手乾燥装置。
【請求項４０】
乾燥室は、ファンモータよりも低い位置に設置したことを特徴とする請求項１から２７または２９から３９のいずれか記載の手乾燥装置。
【請求項４１】
凹状に形成された乾燥室と、前記乾燥室を形成する少なくとも２つ以上の面に設置されたノズル部と、前記ノズル部に具備された噴流を噴射する噴流発生部と、前記噴流発生部から噴出する空気を送出するファンモータとを備えた手乾燥装置であって、噴流発生部が移動することを特徴とする手乾燥装置。
【請求項４２】
噴流発生部が回転移動することを特徴とする請求項４１記載の手乾燥装置。
【請求項４３】
噴流発生部は常に乾燥室の上部にあることを特徴とする４１または４２記載の手乾燥装置。
【請求項４４】
ノズル部が回転運動する回転ノズルであることを特徴とする請求項４１から４３のいずれか記載の手乾燥装置。
【請求項４５】
回転ノズルは運転開始と共に回転を始め、運転後は回転が止まるようにしたことを特徴とする請求項４１から４４のいずれか記載の手乾燥装置。
【請求項４６】
回転ノズルは噴流発生部より発生する噴射反力により回転エネルギーを得る構成としたことを特徴とする請求項４１から４５のいずれか記載の手乾燥装置。
【請求項４７】
回転ノズルをノズル部に備えた軸受と連結したことを特徴とする請求項４１から４６のいずれか記載の手乾燥装置。
【請求項４８】
ファンモータから回転ノズルまでに空気を連通する流路を備え、軸受の内輪側を通過するように前記流路を設けたことを特徴とする請求項４７記載の手乾燥装置。
【請求項４９】
軸受が、乾燥室を形成する一つの面に備えた静止部によって固定されたことを特徴とする請求項４７または４８記載の手乾燥装置。
【請求項５０】
ファンモータから回転ノズルまでに空気を連通する流路内部に高圧部を備え、軸受は、前記高圧部と大気圧部の両側に接触する構成としたことを特徴とする請求項４７から４９のいずれか記載の手乾燥装置。
【請求項５１】
軸受はシール付きとし、高圧部と大気圧部の両側に接触する構成としたことを特徴とする請求項４７から５０のいずれか記載の手乾燥装置。
【請求項５２】
軸受の外径は回転ノズルの外径より小さいことを特徴とする請求項４７から５１のいずれか記載の手乾燥装置。
【請求項５３】
回転ノズルは成形可能な合成樹脂により形成されたことを特徴とする請求項４１から５２のいずれか記載の手乾燥装置。
【請求項５４】
噴流の推進方向は乾燥室に向かっていることを特徴とする請求項４１から５３のいずれか記載の手乾燥装置。
【請求項５５】
噴流発生部が設置された面は、回転ノズルの回転軸と平行でないことを特徴とする請求項４１から５４のいずれか記載の手乾燥装置。
【請求項５６】
回転ノズルの回転軸は、床面に対して平行でないことを特徴とする請求項４１から５５いずれか記載の手乾燥装置。
【請求項５７】
噴流の風速を７０〜１２０ｍ／ｓとしたことを特徴とする請求項４１から５６いずれか記載の手乾燥装置。
【請求項５８】
回転ノズルに制御翼を備え、前記制御翼の空気抵抗により回転数を調節したことを特徴とする請求項４１から５７いずれか記載の手乾燥装置。
【請求項５９】
流路の内にあり、回転ノズルに自転装置を設け、前記自転装置により前記回転ノズルを駆動させる構成としたことを特徴とする請求項４１から４５または４７から５８のいずれか記載の手乾燥装置。
【請求項６０】
前記回転ノズルをモータにて駆動させる構成としたことを特徴とする請求項４１から４５または４７から５８のいずれか記載の手乾燥装置。
【請求項６１】
回転ノズルは、バランスの調節をするバランス調整部を有することを特徴とする請求項４１から６０のいずれか記載の手乾燥装置。
【請求項６２】
回転ノズルに設けた噴流発生部の流入側にメッシュを設けたことを特徴とする請求項４１から６１のいずれか記載の手乾燥装置。
【請求項６３】
回転ノズルの外側に静止した防護壁を設けたことを特徴とする請求項４１から６２のいずれか記載の手乾燥装置。
【請求項６４】
回転ノズルに設置した噴流発生部の形状をスリットとしたことを特徴とする請求項４１から６３のいずれか記載の手乾燥装置。
【請求項６５】
回転ノズルを左右対称となるよう複数配置したことを特徴とする請求項４１から６４のいずれか記載の手乾燥装置。
【請求項６６】
回転ノズルを複数個設置し、前記回転ノズルが左右で逆回転をすることを特徴とする請求項４１から６５のいずれか記載の手乾燥装置。
【請求項６７】
複数個設けた回転ノズルの各々の前記回転軸が平行となるように設置したことを特徴とする請求項４１から６６のいずれか記載の手乾燥装置。
【請求項６８】
乾燥室は、ファンモータよりも高い位置に設置したことを特徴とする請求項４１から６７のいずれか記載の手乾燥装置。
【請求項６９】
回転ノズルを複数個設置し、前記回転ノズルがすべて同一回転数となることを特徴とする請求項４１から６８のいずれか記載の手乾燥装置。
【請求項７０】
回転ノズルを複数個設置し、前記回転ノズル各々が異なる回転数となることを特徴とする請求項４１から６８のいずれか記載の手乾燥装置。
【請求項７１】
回転ノズルに設置した噴流発生部の形状を複数個の孔または楕円としたことを特徴とする請求項４１から６３または６５から７０のいずれか記載の手乾燥装置。
【請求項７２】
前記噴流発生部を複数設け、それぞれ形状が異なることを特徴とする請求項４１から７１のいずれか記載の手乾燥装置。
【請求項７３】
噴流発生部を複数設け、前記噴流発生部の回転軸から最も遠い位置がそれぞれ異なることを特徴とする請求項４１から７２のいずれか記載の手乾燥装置。
【請求項７４】
回転ノズルを複数個設置し、前記回転ノズル各々に設置された噴流発生部の形状が異なることを特徴とする請求項４１から７３のいずれか記載の手乾燥装置。
【請求項７５】
回転ノズルを複数個設置し、前記回転ノズルの大きさが異なることを特徴とする請求項４１から７４のいずれか記載の手乾燥装置。
【請求項７６】
回転ノズルと別に静止した静止ノズルを有することを特徴とする請求項４１から７５のいずれか記載の手乾燥装置。
【請求項７７】
静止ノズルが左右にある回転ノズルの間に設置したことを特徴とする請求項４１から７６のいずれか記載の手乾燥装置。
【請求項７８】
静止ノズルが左右にある回転ノズルの周辺にあることを特徴とする請求項４１から７７のいずれか記載の手乾燥装置。
【請求項７９】
複数個設けた回転ノズル各々の回転軸が交差するように設置されたことを特徴とする請求項４１から６６または６８から７８のいずれか記載の手乾燥装置。
【請求項８０】
乾燥室は、ファンモータよりも低い位置に設置したことを特徴とする請求項４１から６７または６９から７９のいずれか記載の手乾燥装置。
【請求項８１】
少なくとも１組以上の回転ノズルが対向するように設置したことを特徴とする請求項４４から８０のいずれか記載の手乾燥装置。
【請求項８２】
少なくとも１組以上の回転ノズルが対向するように設置し、且つ回転方向が同一としたことを特徴とする請求項４４から８１のいずれか記載の手乾燥装置。
【請求項８３】
少なくとも１組以上の回転ノズルが対向するように設置し、且つ回転方向が逆回転することを特徴とする請求項４４から８１のいずれか記載の手乾燥装置。
【請求項８４】
少なくとも１面は静止ノズルのみで構成されたことを特徴とする請求項４１から８３のいずれか記載の手乾燥装置。
【請求項８５】
乾燥室のノズル部が配置されていない面を外気と連通するよう開放としたことを特徴とする請求項４１から８４のいずれか記載の手乾燥装置。
【請求項８６】
ファンモータを２個使用したことを特徴とする請求項４１から８５のいずれか記載の手乾燥装置。
【請求項８７】
ファンモータを２個使用し、それぞれ送出された空気を流路中で合流させてノズル部へ送る構成としたことを特徴とする請求項８６記載の手乾燥装置。
【請求項８８】
ファンモータを２個使用し、流路を２系統設けることで、送出された空気を別々のノズル部へ送る構成としたことを特徴とする請求項８６記載の手乾燥装置。
【請求項８９】
ファンモータを２個使用し、乾燥室の上下に１個づつ配置したことを特徴とする請求項８６から８８のいずれか記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１参照）。
【０００３】
以下、その手乾燥装置について図４０及び図４１を参照しながら説明する。
【０００４】
図４０、図４１に示すように、壁面に固定された本体１０１は、下部に高速噴流を噴き出すノズル部１０２と前記ノズル部１０２から高速噴流を噴き出す方向に設置された水滴回収手段である水受け１０３を付属している。前記ノズル部１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００５】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されてノズル部１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００６】
手から離れた水滴は水受け１０３に集められるが、ノズル部１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００７】
また、両面から高速風を噴出すことにより乾燥する方式としたものが知られている（例えば、特許文献２参照）。
【０００８】
以下、その手乾燥装置について図４２、図４３を参照しながら説明する。
【０００９】
図４２及び図４３に示すように、壁面に固定された本体２０１は、高速噴流を噴き出す噴出ノズル２０２を対に対峙した形で付属している。前記噴出ノズル２０２の対峙した空間に手を挿入して乾燥させるための処理空間４０４が本体内部に形成される。その処理空間４０４の下方に水滴回収手段である水受け２０３を付属している。本体２０１内には送風手段２０５および制御手段２０７が設けられている。処理空間４０４の中に挿入された手を検知して送風手段２０５に通電するための検知手段２０８を本体２０１の一部に付属している。上記構成において濡れた手を処理空間４０４に挿入すると、検知手段２０８により手の存在を検知して、送風手段２０５を動作させる。これにより本体下部に設置された吸込口２０９から外部空気を吸込み、送風手段２０５を経由して風が形成されて噴出ノズル１０２より送風される。このとき差し出した手に風が当たり、手を乾燥させる。手を引っ込めると検知手段２０８の検出がなくなるので、送風手段２０５は停止する。このような運転の作業を制御手段２０７にて実施する。
【特許文献１】特開平１０−７１１０１号公報
【特許文献２】特開平５−２９３０５５号公報
【発明の開示】
【発明が解決しようとする課題】
【００１０】
このような従来の手乾燥装置では、手を早く乾かすためには一度に噴流を手に当てる必要があるが風量が多く必要であるという課題があり、また手を動かさなければ水滴がすべて除去できないという課題がある。本発明は、このような従来の課題を解決するものであり、少ない風量で手全体に噴流を接触させることができ、また手を動かさなくても、水滴を自動で除去してくれることができる手乾燥装置を提供することを目的としている。
【００１１】
また、回転ノズルだけでは、手に付着した水滴を除去できない箇所があるという課題がある。本発明は、このような従来の課題を解決するものであり、静止ノズルを組み合わせることで手に付着した水滴を除去することができる手乾燥装置を提供することを目的としている。
【課題を解決するための手段】
【００１２】
本発明の手乾燥装置は、上記目標を達成するため凹状に形成された乾燥室と、乾燥室を形成する１つの面から噴流を噴射する噴流発生部を備えたノズル部と、噴流発生部から噴出する空気を送出するファンモータとを備えた手乾燥装置であって、噴流発生部が場所を移動することを特徴とする。そして、本発明によれば少ない風量で手全体に噴流を接触させることができるとともに手を動かさなくても、水滴を自動で除去してくれることができる手乾燥装置が得られる。
【００１３】
また、噴流発生部が回転移動することを特徴とする。
【００１４】
また、噴流発生部は常に乾燥室の上部に備えたことを特徴とする。
【００１５】
また、ノズル部が回転運動する回転ノズルであることを特徴とする。
【００１６】
また、回転ノズルは運転開始と共に回転を始め、運転後は回転が止まるようにしたことを特徴とする。
【００１７】
また、回転ノズルは噴流発生部より発生する噴射反力により回転エネルギーを得る構成としたことを特徴とする。
【００１８】
また、回転ノズルをノズル部に備えた軸受と連結したことを特徴とする。
【００１９】
また、ファンモータから回転ノズルまでに空気を連通する流路を備え、軸受の内輪側を通過するように前記流路を設けたことを特徴とする。
【００２０】
また、軸受が、乾燥室を形成する１つの面に備えた静止部に固定されたことを特徴とする。
【００２１】
また、ファンモータから回転ノズルまでに空気を連通する流路内部に高圧部を備え、軸受は、前記高圧部と大気圧部の両側に接触する構成としたことを特徴とする。
【００２２】
また、軸受はシール付きとし、高圧部と大気圧部の両側に接触する構成としたことを特徴とする。
【００２３】
また、軸受の外径は回転ノズルの外径より小さいことを特徴とする。
【００２４】
また、回転ノズルは成形可能な合成樹脂により形成されたことを特徴とする。
【００２５】
また、噴流の推進方向は乾燥室に向かっていることを特徴とする。
【００２６】
また、噴流発生部が設置された面は、回転ノズルの回転軸と平行でないことを特徴とする。
【００２７】
また、回転ノズルの前記回転軸は、床面に対して平行でないことを特徴とする。
【００２８】
また、噴流の風速を７０〜１２０ｍ／ｓとしたことを特徴とする。
【００２９】
また、回転ノズルに制御翼を備え、前記制御翼の空気抵抗により回転数を調節したことを特徴とする。
【００３０】
また、流路の内にあり、回転ノズルに自転装置を備え、前記自転装置により前記回転ノズルを駆動させる構成としたことを特徴とする。
【００３１】
また、ノズル部にモータを備え、回転ノズルを前記モータにて駆動させる構成としたことを特徴とする。
【００３２】
また、回転ノズルは、バランスの調節をするバランス調整部を有することを特徴とする。
【００３３】
また、回転ノズルに設けた噴流発生部の流入側にメッシュを設けたことを特徴とする。
【００３４】
また、回転ノズルの外側に静止した防護壁を設けたことを特徴とする。
【００３５】
また、回転ノズルに設置した噴流発生部の形状をスリットとしたことを特徴とする。
【００３６】
また、回転ノズルを左右対称となるよう複数配置したことを特徴とする。
【００３７】
また、回転ノズルを複数個設置し、前記回転ノズルが左右で逆回転をすることを特徴とする。
【００３８】
また、複数個設けた回転ノズル各々の回転軸が平行となるように設置したことを特徴とする。
【００３９】
また、乾燥室は、ファンモータよりも高い位置に設置したことを特徴とする。
【００４０】
また、回転ノズルを複数個設置し、前記回転ノズルがすべて同一回転数となることを特徴とする。
【００４１】
また、回転ノズルを複数個設置し、前記回転ノズル各々が異なる回転数となることを特徴とする。
【００４２】
また、回転ノズルに設置した噴流発生部の形状を複数個の孔または楕円としたことを特徴とする。
【００４３】
また、噴流発生部を複数設け、それぞれ形状が異なることを特徴とする。
【００４４】
また、噴流発生部を複数設け、前記噴流発生部の回転軸から最も遠い位置がそれぞれ異なることを特徴とする。
【００４５】
また、回転ノズルを複数個設置し、前記回転ノズル各々に設置された噴流発生部の形状が異なることを特徴とする。
【００４６】
また、回転ノズルを複数個設置し、前記回転ノズルの大きさが異なることを特徴とする。
【００４７】
また、回転ノズルと別に静止した静止ノズルを有することを特徴とする。そして、本発明によれば静止ノズルを組み合わせることで回転ノズルより噴射された噴流のみで除去できない水滴を除去することができる手乾燥装置が得られる。
【００４８】
また、静止ノズルが左右にある回転ノズルの間に設置したことを特徴とする。
【００４９】
また、静止ノズルが左右にある回転ノズルの周辺にあることを特徴とする。
【００５０】
また、複数個設けた回転ノズル各々の回転軸が交差するように設置されたことを特徴とする。
【００５１】
また、乾燥室は、ファンモータよりも低い位置に設置したことを特徴とする。
【００５２】
また、本発明の手乾燥装置は、上記目標を達成するため凹状に形成された乾燥室と、乾燥室を形成する少なくとも２つ以上の面から噴流を噴射する噴流発生部を備えたノズル部と、噴流発生部から噴出する空気を送出するファンモータとを備えた手乾燥装置であって、噴流発生部が場所を移動することを特徴とする。そして、本発明によれば少ない風量で手全体に噴流を接触させることができるとともに手を動かさなくても、水滴を自動で除去してくれることができる手乾燥装置が得られる。
【００５３】
また、噴流発生部が回転移動することを特徴とする。
【００５４】
また、噴流発生部は常に乾燥室の上部にあることを特徴とする。
【００５５】
また、ノズル部が回転運動する回転ノズルであることを特徴とする。
【００５６】
また、回転ノズルは運転開始と共に回転を始め、運転後は回転が止まるようにしたことを特徴とする。
【００５７】
また、回転ノズルは噴流発生部より発生する噴射反力により回転エネルギーを得る構成としたことを特徴とする。
【００５８】
また、回転ノズルをノズル部に備えた軸受と連結したことを特徴とする。
【００５９】
また、ファンモータから回転ノズルまでに空気を連通する流路を備え、軸受の内輪側を通過するように前記流路を設けたことを特徴とする。
【００６０】
また、軸受が、乾燥室を形成する一つの面に備えた静止部によって固定されたことを特徴とする。
【００６１】
また、ファンモータから回転ノズルまでに空気を連通する流路内部に高圧部を備え、軸受は、前記高圧部と大気圧部の両側に接触する構成としたことを特徴とする。
【００６２】
また、軸受はシール付きとし、高圧部と大気圧部の両側に接触する構成としたことを特徴とする。
【００６３】
また、軸受の外径は回転ノズルの外径より小さいことを特徴とする。
【００６４】
また、回転ノズルは成形可能な合成樹脂により形成されたことを特徴とする。
【００６５】
また、噴流の推進方向は乾燥室に向かっていることを特徴とする。
【００６６】
また、噴流発生部が設置された面は、回転ノズルの回転軸と平行でないことを特徴とする。
【００６７】
また、回転ノズルの回転軸は、床面に対して平行でないことを特徴とする。
【００６８】
また、噴流の風速を７０〜１２０ｍ／ｓとしたことを特徴とする。
【００６９】
また、回転ノズルに制御翼を備え、前記制御翼の空気抵抗により回転数を調節したことを特徴とする。
【００７０】
また、流路の内にあり、回転ノズルに自転装置を設け、前記自転装置により前記回転ノズルを駆動させる構成としたことを特徴とする。
【００７１】
また、前記回転ノズルをモータにて駆動させる構成としたことを特徴とする。
【００７２】
また、回転ノズルは、バランスの調節をするバランス調整部を有することを特徴とする。
【００７３】
また、回転ノズルに設けた噴流発生部の流入側にメッシュを設けたことを特徴とする。
【００７４】
また、回転ノズルの外側に静止した防護壁を設けたことを特徴とする。
【００７５】
また、回転ノズルに設置した噴流発生部の形状をスリットとしたことを特徴とする。
【００７６】
また、回転ノズルを左右対称となるよう複数配置したことを特徴とする。
【００７７】
また、回転ノズルを複数個設置し、前記回転ノズルが左右で逆回転をすることを特徴とする。
【００７８】
また、複数個設けた回転ノズルの各々の前記回転軸が平行となるように設置したことを特徴とする。
【００７９】
また、乾燥室は、ファンモータよりも高い位置に設置したことを特徴とする。
【００８０】
また、回転ノズルを複数個設置し、前記回転ノズルがすべて同一回転数となることを特徴とする。
【００８１】
また、回転ノズルを複数個設置し、前記回転ノズル各々が異なる回転数となることを特徴とする。
【００８２】
また、回転ノズルに設置した噴流発生部の形状を複数個の孔または楕円としたことを特徴とする。
【００８３】
また、前記噴流発生部を複数設け、それぞれ形状が異なることを特徴とする。
【００８４】
また、噴流発生部を複数設け、前記噴流発生部の回転軸から最も遠い位置がそれぞれ異なることを特徴とする。
【００８５】
また、回転ノズルを複数個設置し、前記回転ノズル各々に設置された噴流発生部の形状が異なることを特徴とする。
【００８６】
また、回転ノズルを複数個設置し、前記回転ノズルの大きさが異なることを特徴とする。
【００８７】
また、回転ノズルと別に静止した静止ノズルを有することを特徴とする。
【００８８】
また、静止ノズルが左右にある回転ノズルの間に設置したことを特徴とする。
【００８９】
また、静止ノズルが左右にある回転ノズルの周辺にあることを特徴とする。
【００９０】
また、複数個設けた回転ノズル各々の回転軸が交差するように設置されたことを特徴とする。
【００９１】
また、乾燥室は、ファンモータよりも低い位置に設置したことを特徴とする。
【００９２】
また、少なくとも１組以上の回転ノズルが対向するように設置したことを特徴とする。
【００９３】
また、少なくとも１組以上の回転ノズルが対向するように設置し、且つ回転方向が同一としたことを特徴とする。
【００９４】
また、少なくとも１組以上の回転ノズルが対向するように設置し、且つ回転方向が逆回転することを特徴とする。
【００９５】
また、少なくとも１面は静止ノズルのみで構成されたことを特徴とする。
【００９６】
また、乾燥室のノズル部が配置されていない面を外気と連通するよう開放としたことを特徴とする。
【００９７】
また、ファンモータを２個使用したことを特徴とする。
【００９８】
また、ファンモータを２個使用し、それぞれ送出された空気を流路中で合流させてノズル部へ送る構成としたことを特徴とする。
【００９９】
また、ファンモータを２個使用し、流路を２系統設けることで、送出された空気を別々のノズル部へ送る構成としたことを特徴とする。
【０１００】
また、ファンモータを２個使用し、乾燥室の上下に１個づつ配置したことを特徴とする。
【発明の効果】
【０１０１】
本発明によれば凹状に形成された乾燥室と、乾燥室を形成する１つの面から噴流を噴射する噴流発生部を備えたノズル部と、噴流発生部から噴出する空気を送出するファンモータとを備えた手乾燥装置であって噴流発生部が場所を移動することにより手乾燥を速やかに実施できると共に、噴流発生部を多く設置する必要がないため、ファンモータからの風量を少なくすることができるため本体の消費電力を少なくできるとともに本体の大きさをコンパクトにすることができるという効果のある手乾燥装置を提供できる。
【０１０２】
また、噴流発生部が回転移動することにより同様の効果のある手乾燥装置を提供できる。
【０１０３】
また、噴流発生部は常に乾燥室の上部に備えたことにより同様の効果のある手乾燥装置を提供できる。
【０１０４】
また、ノズル部が回転運動する回転ノズルであることにより同様の効果のある手乾燥装置を提供できる。
【０１０５】
また、回転ノズルは運転開始と共に回転を始め、運転後は回転が止まるようにしたことにより同様の効果のある手乾燥装置を提供できる。
【０１０６】
また、回転ノズルをノズル部に備えた軸受と連結したことにより同様の効果のある手乾燥装置を提供できる。
【０１０７】
また、ファンモータから回転ノズルまでに空気を連通する流路を備え、軸受の内輪側を通過するように前記流路を設けたことにより同様の効果のある手乾燥装置を提供できる。
【０１０８】
また、軸受が、乾燥室を形成する１つの面に備えた静止部に固定されたことにより同様の効果のある手乾燥装置を提供できる。
【０１０９】
また、回転ノズルは噴流発生部より発生する噴射反力により回転エネルギーを得る構成としたことにより同様の効果のある手乾燥装置を提供できる。
【０１１０】
また、ファンモータから回転ノズルまでに空気を連通する流路内部に高圧部を備え、軸受は、前記高圧部と大気圧部の両側に接触する構成としたことにより高圧部より大気圧部へ連通する面積を小さくでき、空気漏れをれを防止でき、噴流発生部より発生する噴流のエネルギーをロスすることなく水滴除去が可能となるという同様の効果のある手乾燥装置を提供できる。
【０１１１】
また、軸受はシール付きとし、高圧部と大気圧部の両側に接触する構成としたことにより別途シール手段を用いなくともファンモータより送出された空気漏れを防止でき、噴流発生部より発生する噴流のエネルギーをロスすることなく水滴除去が可能となるという効果のある手乾燥装置を提供できる。
【０１１２】
また、軸受の外径は回転ノズルの外径より小さいことにより軸受の回転トルクが小さくでき、回転に必要なトルクを下げることができるため、少ない回転エネルギーにより回転ができることから、エネルギーロスの少ない手乾燥装置を提供できる。
【０１１３】
また、回転ノズルは成形可能な合成樹脂により形成されたことにより安価に製造が可能となり、且つ質量も軽くできることから安価に提供でき、エネルギーロスの少ない手乾燥装置を提供できる。
【０１１４】
また、噴流の推進方向は乾燥室に向かっていることにより同様の効果のある手乾燥装置を提供できる。
【０１１５】
また、噴流発生部が設置された面は、回転ノズルの回転軸と平行でないことにより同様の効果のある手乾燥装置を提供できる。
【０１１６】
また、回転ノズルの回転軸は、床面に対して平行でないことにより使用者が手を入れやすい角度に傾きをもたせ、使い勝手の良い手乾燥装置を提供できるという効果のある手乾燥装置を提供できる。
【０１１７】
また、噴流の風速を７０〜１２０ｍ／ｓとしたことにより同様の効果のある手乾燥装置を提供できる。
【０１１８】
また、回転ノズルに制御翼を備え、前記制御翼の空気抵抗により回転数を調節したことにより同様の効果のある手乾燥装置を提供できる。
【０１１９】
また、流路の内にあり、回転ノズルに自転装置を備え、前記自転装置により前記回転ノズルを駆動させる構成としたことにより同様の効果のある手乾燥装置を提供できる。
【０１２０】
また、ノズル部にモータを備え、回転ノズルを前記モータにて駆動させる構成としたことにより同様の効果のある手乾燥装置を提供できる。
【０１２１】
また、回転ノズルはバランスの調節をするバランス調整部を有することによりアンバランスを解消でき、振動を低減できる効果のある手乾燥装置を提供できる。
【０１２２】
また、回転ノズルに設けた噴流発生部の流入側にメッシュを設けたことにより噴流の発生を変化させることができ、噴流により発生する乱流騒音を低減する効果のある手乾燥装置を提供できる。
【０１２３】
また、回転ノズルの外側に静止した防護壁を設けたことにより使用者の手が回転ノズルに触れることが無くなるため、安全に手乾燥を行うことができるという効果のある手乾燥装置を提供できる。
【０１２４】
また、回転ノズルに設置した噴流発生部の形状をスリットとしたことにより同様の効果のある手乾燥装置を提供できる。
【０１２５】
また、回転ノズルを左右対称となるよう複数配置したことにより同様の効果のある手乾燥装置を提供できる。
【０１２６】
また、回転ノズルを複数個設置し、前記回転ノズルが左右で逆回転をすることにより同様の効果のある手乾燥装置を提供できる。
【０１２７】
また、複数個設けた回転ノズル各々の回転軸が平行となるように設置したことにより同様の効果のある手乾燥装置を提供できる。
【０１２８】
また、乾燥室は、ファンモータよりも高い位置に設置したことにより同様の効果のある手乾燥装置を提供できる。
【０１２９】
また、回転ノズルを複数個設置し、前記回転ノズルがすべて同一回転数となることにより同様の効果のある手乾燥装置を提供できる。
【０１３０】
また、回転ノズルを複数個設置し、前記回転ノズル各々が異なる回転数となることにより同様の効果のある手乾燥装置を提供できる。
【０１３１】
また、回転ノズルに設置した噴流発生部の形状を複数個の孔または楕円としたことにより同様の効果のある手乾燥装置を提供できる。
【０１３２】
また、噴流発生部を複数設け、それぞれ形状が異なることにより同様の効果のある手乾燥装置を提供できる。
【０１３３】
また、噴流発生部を複数設け、前記噴流発生部の回転軸から最も遠い位置がそれぞれ異なることにより同様の効果のある手乾燥装置を提供できる。
【０１３４】
また、回転ノズルを複数個設置し、前記回転ノズル各々に設置された噴流発生部の形状が異なることにより同様の効果のある手乾燥装置を提供できる。
【０１３５】
また、回転ノズルを複数個設置し、前記回転ノズルの大きさが異なることにより同様の効果のある手乾燥装置を提供できる。
【０１３６】
また、回転ノズルと別に静止した静止ノズルを有することにより同様の効果のある手乾燥装置を提供できる。
【０１３７】
また、静止ノズルが左右にある回転ノズルの間に設置したことにより同様の効果のある手乾燥装置を提供できる。
【０１３８】
また、静止ノズルが左右にある回転ノズルの周辺にあることにより同様の効果のある手乾燥装置を提供できる。
【０１３９】
また、複数個設けた回転ノズル各々の回転軸が交差するように設置されたことにより同様の効果のある手乾燥装置を提供できる。
【０１４０】
また、乾燥室は、ファンモータよりも低い位置に設置したことにより同様の効果のある手乾燥装置を提供できる。
【０１４１】
本発明によれば凹状に形成された乾燥室と、乾燥室を形成する少なくとも２つ以上の面から噴流を噴射する噴流発生部を備えたノズル部と、噴流発生部から噴出する空気を送出するファンモータとを備えた手乾燥装置であって噴流発生部が移動することにより手乾燥を速やかに実施できると共に、噴流発生部を多く設置する必要がないため、ファンモータからの風量を少なくすることができるため本体の消費電力を少なくできるとともに本体の大きさをコンパクトにすることができるという効果のある手乾燥装置を提供できる。
【０１４２】
また、噴流発生部が回転移動することにより同様の効果のある手乾燥装置を提供できる。
【０１４３】
また、噴流発生部は常に乾燥室の上部にあることにより同様の効果のある手乾燥装置を提供できる。
【０１４４】
また、ノズル部が回転運動する回転ノズルであることにより同様の効果のある手乾燥装置を提供できる。
【０１４５】
また、回転ノズルは運転開始と共に回転を始め、運転後は回転が止まるようにしたことにより同様の効果のある手乾燥装置を提供できる。
【０１４６】
また、回転ノズルは噴流発生部より発生する噴射反力により回転エネルギーを得る構成としたことにより同様の効果のある手乾燥装置を提供できる。
【０１４７】
また、回転ノズルをノズル部に備えた軸受と連結したことにより同様の効果のある手乾燥装置を提供できる。
【０１４８】
また、ファンモータから回転ノズルまでに空気を連通する流路を備え、軸受の内輪側を通過するように前記流路を設けたことにより同様の効果のある手乾燥装置を提供できる。
【０１４９】
また、軸受が、乾燥室を形成する一つの面に備えた静止部によって固定されたことにより同様の効果のある手乾燥装置を提供できる。
【０１５０】
また、ファンモータから回転ノズルまでに空気を連通する流路内部に高圧部を備え、軸受は、前記高圧部と大気圧部の両側に接触する構成としたことにより同様の効果のある手乾燥装置を提供できる。
【０１５１】
また、軸受はシール付きとし、高圧部と大気圧部の両側に接触する構成としたことにより同様の効果のある手乾燥装置を提供できる。
【０１５２】
また、軸受の外径は回転ノズルの外径より小さいことにより同様の効果のある手乾燥装置を提供できる。
【０１５３】
また、回転ノズルは成形可能な合成樹脂により形成されたことにより同様の効果のある手乾燥装置を提供できる。
【０１５４】
また、噴流の推進方向は乾燥室に向かっていることにより同様の効果のある手乾燥装置を提供できる。
【０１５５】
また、噴流発生部が設置された面は、回転ノズルの回転軸と平行でないことにより同様の効果のある手乾燥装置を提供できる。
【０１５６】
また、回転ノズルの回転軸は、床面に対して平行でないことにより同様の効果のある手乾燥装置を提供できる。
【０１５７】
また、噴流の風速を７０〜１２０ｍ／ｓとしたことにより同様の効果のある手乾燥装置を提供できる。
【０１５８】
また、回転ノズルに制御翼を備え、前記制御翼の空気抵抗により回転数を調節したことにより同様の効果のある手乾燥装置を提供できる。
【０１５９】
また、流路の内にあり、回転ノズルに自転装置を設け、前記自転装置により前記回転ノズルを駆動させる構成としたことにより同様の効果のある手乾燥装置を提供できる。
【０１６０】
また、前記回転ノズルをモータにて駆動させる構成としたことにより同様の効果のある手乾燥装置を提供できる。
【０１６１】
また、回転ノズルは、バランスの調節をするバランス調整部を有することにより同様の効果のある手乾燥装置を提供できる。
【０１６２】
また、回転ノズルに設けた噴流発生部の流入側にメッシュを設けたことにより同様の効果のある手乾燥装置を提供できる。
【０１６３】
また、回転ノズルの外側に静止した防護壁を設けたことにより同様の効果のある手乾燥装置を提供できる。
【０１６４】
また、回転ノズルに設置した噴流発生部の形状をスリットとしたことにより同様の効果のある手乾燥装置を提供できる。
【０１６５】
また、回転ノズルを左右対称となるよう複数配置したことにより同様の効果のある手乾燥装置を提供できる。
【０１６６】
また、回転ノズルを複数個設置し、前記回転ノズルが左右で逆回転をすることにより同様の効果のある手乾燥装置を提供できる。
【０１６７】
また、複数個設けた回転ノズルの各々の前記回転軸が平行となるように設置したことにより同様の効果のある手乾燥装置を提供できる。
【０１６８】
また、乾燥室は、ファンモータよりも高い位置に設置したことにより同様の効果のある手乾燥装置を提供できる。
【０１６９】
また、回転ノズルを複数個設置し、前記回転ノズルがすべて同一回転数となることにより同様の効果のある手乾燥装置を提供できる。
【０１７０】
また、回転ノズルを複数個設置し、前記回転ノズル各々が異なる回転数となることにより同様の効果のある手乾燥装置を提供できる。
【０１７１】
また、回転ノズルに設置した噴流発生部の形状を複数個の孔または楕円としたことにより同様の効果のある手乾燥装置を提供できる。
【０１７２】
また、前記噴流発生部を複数設け、それぞれ形状が異なることにより同様の効果のある手乾燥装置を提供できる。
【０１７３】
また、噴流発生部を複数設け、前記噴流発生部の回転軸から最も遠い位置がそれぞれ異なることにより同様の効果のある手乾燥装置を提供できる。
【０１７４】
また、回転ノズルを複数個設置し、前記回転ノズル各々に設置された噴流発生部の形状が異なることにより同様の効果のある手乾燥装置を提供できる。
【０１７５】
また、回転ノズルを複数個設置し、前記回転ノズルの大きさが異なることにより同様の効果のある手乾燥装置を提供できる。
【０１７６】
また、回転ノズルと別に静止した静止ノズルを有することにより同様の効果のある手乾燥装置を提供できる。
【０１７７】
また、静止ノズルが左右にある回転ノズルの間に設置したことにより同様の効果のある手乾燥装置を提供できる。
【０１７８】
また、静止ノズルが左右にある回転ノズルの周辺にあることにより同様の効果のある手乾燥装置を提供できる。
【０１７９】
また、複数個設けた回転ノズル各々の回転軸が交差するように設置されたことにより同様の効果のある手乾燥装置を提供できる。
【０１８０】
また、乾燥室は、ファンモータよりも低い位置に設置したことにより同様の効果のある手乾燥装置を提供できる。
【０１８１】
また、少なくとも１組以上の回転ノズルが対向するように設置したことにより同様の効果のある手乾燥装置を提供できる。
【０１８２】
また、少なくとも１組以上の回転ノズルが対向するように設置し、且つ回転方向が同一であることにより同様の効果のある手乾燥装置を提供できる。
【０１８３】
また、少なくとも１組以上の回転ノズルが対向するように設置し、且つ回転方向が逆回転することにより同様の効果のある手乾燥装置を提供できる。
【０１８４】
また、少なくとも１面は静止ノズルのみで構成されたことにより同様の効果のある手乾燥装置を提供できる。
【０１８５】
また、乾燥室のノズル部が配置されていない面を外気と連通するよう開放としたことにより同様の効果のある手乾燥装置を提供できる。
【０１８６】
また、ファンモータを２個使用したことにより同様の効果のある手乾燥装置を提供できる。
【０１８７】
また、ファンモータを２個使用し、それぞれ送出された空気を流路の中で合流させてノズル部へ送る構成としたことにより同様の効果のある手乾燥装置を提供できる。
【０１８８】
また、ファンモータを２個使用し、流路を少なくとも２つ以上設けることで、送出された空気を別々のノズル部へ送る構成としたことにより同様の効果のある手乾燥装置を提供できる。
【０１８９】
また、ファンモータを２個使用し、乾燥室の上下に１個づつ配置したことにより同様の効果のある手乾燥装置を提供できる。
【発明を実施するための最良の形態】
【０１９０】
本発明の請求項１記載の発明は、凹状に形成された乾燥室と、乾燥室を形成する１つの面から噴流を噴射する噴流発生部を備えたノズル部と、噴流発生部から噴出する空気を送出するファンモータとを備えた手乾燥装置であって噴流発生部が場所を移動するものであり、手を上下または前後に動かす必要がなく、噴流発生部が移動して手に付着した水分を除去することで、手乾燥を速やかに実施することができるという作用を有する。
【０１９１】
また、ファンモータから回転ノズルまでに空気を連通する流路内部に高圧部を備え、軸受は、前記高圧部と大気圧部の両側に接触する構成としたものであり、軸受を高圧部と大気圧部の両側に接触する構成とすることで、高圧部より大気圧部へ連通する面積を小さくでき、空気漏れを抑えることができるという作用を有する。
【０１９２】
また、軸受はシール付きとし、高圧部と大気圧部の両側に接触する構成としたものであり、軸受をシール付きとすることで、さらに高圧部より大気圧部への空気漏れを抑制することができるという作用を有する。
【０１９３】
また、軸受の外径は回転ノズルの外径より小さいものであり、軸受の外径を回転ノズルの外径より小さくすることで、軸受の回転トルクが小さくでき、回転に必要なトルクを下げることができるため、少ない回転エネルギーにより回転ができるという作用を有する。
【０１９４】
また、回転ノズルは成形可能な合成樹脂により形成されたものであり、回転ノズルを成形可能な合成樹脂により形成することで、安価に製造が可能となる。さらに、質量も軽くできることからより少ない回転エネルギーで回転ができるという作用を有する。
【０１９５】
また、回転ノズルの回転軸は、床面に対して平行でないものであり、回転ノズルの回転軸は、床面に対して傾きをつけることで使い勝手が良いように傾きを持たせて使用者が手を入れやすく配置し、手を上下または前後に動かす必要がなく、噴流発生部が移動して手に付着した水分を除去することで、手乾燥を速やかに実施することができるという作用を有する。
【０１９６】
また、回転ノズルの外側に静止した防護壁を設けたものであり、防護壁を設けることで、使用者の手が回転ノズルに触れて怪我をする恐れがないという作用を有する。
【０１９７】
また、噴流発生部を複数設け、それぞれ形状が異なるものであり、噴流発生部の形状を、使用者の手の部位によって水滴が除去しやすい形状に変更し、より短時間で手乾燥を行うことができるという作用を有する。
【０１９８】
また、噴流発生部を複数設け、前記噴流発生部の回転軸から最も遠い位置がそれぞれ異なるものであり、噴流発生部を複数設け、噴流発生部の回転軸から最も遠い位置を変更することで、回転移動時にそれぞれの噴流が使用者の手の異なった部位に接触するため、水滴除去面積を広くなり、短時間で手乾燥を行うことができるという作用を有する。
【０１９９】
また、回転ノズルを複数個設置し、前記回転ノズル各々に設置された噴流発生部の形状が異なるものであり、噴流発生部の形状を、使用者の手の部位によって水滴が除去しやすい形状に変更し、より短時間で手乾燥を行うことができるという作用を有する。
【０２００】
また、回転ノズルと別に静止した静止ノズルを有するものであり、回転ノズルの噴流発生部より噴射した噴流のみでは除去しきれない水滴を別途静止した静止ノズルを組み合わせて設けることで手に付着した水分を残水なく除去することができるという作用を有する。
【０２０１】
また、本発明の請求項４１記載の発明は、凹状に形成された乾燥室と、乾燥室を形成する少なくとも２つ以上の面から噴流を噴射する噴流発生部を備えたノズル部と、噴流発生部から噴出する空気を送出するファンモータとを備えた手乾燥装置であって噴流発生部が移動するものであり、手を上下または前後に動かす必要がなく、噴流発生部が移動して手に付着した水分を除去することで、手乾燥を速やかに実施することができるという作用を有する。
【０２０２】
また、噴流発生部が回転移動するものであり、手に付着した水滴を環状に噴流を接触させて除去できるという作用を有する。
【０２０３】
また、噴流発生部は常に乾燥室の上部にあるものであり、使用者の手が挿入される入り口にあることで手を置くまで挿入した際には手首まで噴流を当てることにより完全に水滴を除去できるという作用を有する。
【０２０４】
また、噴流発生部が回転移動する回転ノズルであり、手に付着した水滴を環状に噴流を接触させて除去できるという作用を有する。
【０２０５】
また、回転ノズルは運転開始と共に回転を始め、運転停止と共に回転が止まるものである。それにより使用者が手を挿入していない際には無駄なエネルギーを使用しないという作用を有する。
【０２０６】
また、回転ノズルは噴流発生部の噴射エネルギーの反力を利用して回転エネルギーとするものであり、別の駆動源を用いずとも噴流発生部を移動させて水滴を除去する作用を有するものである。
【０２０７】
また、回転ノズルをノズル部に備えた軸受と連結したものであり、噴流発生部を回転移動する際にスムースに支持することができるという作用を有する。
【０２０８】
また、ファンモータから回転ノズルまでに空気を連通する流路を備え、軸受の内輪側を通過するように流路を設けることで高圧となる流路より外側に軸受としての支持部があるため、安定した回転を得ることができるという作用を有する。
【０２０９】
また、軸受は、乾燥室を形成する一つの面に備えた静止部によって固定することにより噴流発生部を回転移動させる際にスムースに支持することができるという作用を有する。
【０２１０】
また、ファンモータから回転ノズルまでに空気を連通する流路内部に高圧部を備え、軸受は、前記高圧部と大気圧部の両側に接触する構成としたものであり、軸受を高圧部と大気圧部の両側に接触する構成とすることで、高圧部より大気圧部へ連通する面積を小さくでき、空気漏れを抑えることができるという作用を有する。
【０２１１】
また、軸受はシール付きとし、高圧部と大気圧部の両側に接触する構成としたものであり、軸受をシール付きとすることで、さらに高圧部より大気圧部への空気漏れを抑制することができるという作用を有する。
【０２１２】
また、軸受の外径は回転ノズルの外径より小さいものであり、軸受の外径を回転ノズルの外径より小さくすることで、軸受の回転トルクが小さくでき、回転に必要なトルクを下げることができるため、少ない回転エネルギーにより回転が可能となるという作用を有する。
【０２１３】
また、回転ノズルは成形可能な合成樹脂により形成されたものであり、回転ノズルを成形可能な合成樹脂により形成することで、安価に製造が可能となる。さらに、質量も軽くできることからより少ない回転エネルギーで回転が可能となるという作用を有する。
【０２１４】
また、噴流の推進方向は乾燥室に向かっているものであり、手から除去された水滴を乾燥室へ付着させることができるという作用を有する。
【０２１５】
また、回転ノズルの回転軸は、床面に対して平行でないものであり、回転ノズルの回転軸は、床面に対して傾きをつけることで使い勝手が良いように傾きを持たせて使用者が手を入れやすく配置できるという作用を有する。
【０２１６】
また、噴流の風速を７０〜１２０ｍ／ｓとすることで手に付着した水滴を吹き飛ばすエネルギーを持つ噴流を噴射することで除去できるという作用を有する。
【０２１７】
また、回転ノズルに制御翼を備えたものであり、制御翼の空気抵抗により回転数を手に付着した水滴を除去する為に有効な回転数に調節するという作用を有する。
【０２１８】
また、流路の内にあり、回転ノズルに自転装置を設け、自転装置により回転ノズルを駆動させる構成としたものであり、別途動力を必要とせず回転させることができるという作用を有する。
【０２１９】
また、回転ノズルをモータにて駆動させる構成としたものであり、電気的に回転数を調整することも可能であり、且つ制御も容易にすることができるという作用を有する。
【０２２０】
また、回転ノズルはバランスの調節をするバランス調節部を有するものであり、回転ノズルが回転するさいのアンバランスによる振動を軽減する作用を有する。
【０２２１】
また、回転ノズルに設けた噴流発生部の流入側にメッシュを設けたものであり、噴流が発生する際に渦を作り出すことで噴流を変化させる作用を有する。
【０２２２】
また、回転ノズルの外側に静止した防護壁を設けたものであり、防護壁を設けることで、使用者の手が回転ノズルに触れることが無くなるという作用を有する。
【０２２３】
また、回転ノズルに設置した噴流発生部の形状をスリットとしたものであり、手に付着した水滴をムラ無く除去できるという作用を有する。
【０２２４】
また、回転ノズルを左右対称となるように複数配置したものであり、使用者の両手を効率よく乾燥させる作用を有する。
【０２２５】
また、回転ノズルを左右で逆回転させることにより噴流の干渉を防ぐ作用を有する。
【０２２６】
また、回転ノズルの回転軸を平行にしたものであり、同一平面に複数の回転ノズルからの噴流を当てることができるという作用を有する。
【０２２７】
また、乾燥室はファンモータより高い位置に設けたものであり、使用者の目線より低い位置に本体を置くことができるという作用を有する。
【０２２８】
また、複数の回転ノズルを同一回転数にするものであり、噴流の干渉を防止する作用を有するものである。
【０２２９】
また、複数の回転ノズルを異なった回転数にするものであり、手の部位によって水滴を除去しやすい回転数に設定できるという作用を有する。
【０２３０】
また、回転ノズルに設置した噴流発生部の形状を孔または楕円としたものであり、噴流を集中させて水滴を除去することができるという作用を有する。
【０２３１】
また、前記噴流発生部を複数設け、それぞれ形状が異なるものであり、噴流発生部の形状を、使用者の手の部位によって水滴が除去しやすい形状に変更できるという作用を有する。
【０２３２】
また、噴流発生部を複数設け、前記噴流発生部の回転軸から最も遠い位置がそれぞれ異なるものであり、噴流発生部を複数設け、噴流発生部の回転軸から最も遠い位置を変更することで、回転移動時にそれぞれの噴流が使用者の手の異なった部位に接触することができるという作用を有する。
【０２３３】
また、回転ノズルを複数個設置し、前記回転ノズル各々に設置された噴流発生部の形状が異なるものであり、噴流発生部の形状を、使用者の手の部位によって水滴が除去しやすい形状に変更できるという作用を有する。
【０２３４】
また、複数の回転ノズルの大きさが異なるものであり、手の部位により噴流の当て方を調整できるという作用を有するものである。
【０２３５】
また、回転ノズルと別に静止した静止ノズルを有するものであり、回転ノズルの噴流発生部より噴射した噴流では手に接触しない部分を、別途静止した静止ノズルを組み合わせて設けることで手に付着した水分を残水なく除去することができるという作用を有する。
【０２３６】
また、回転ノズルの回転軸を交差させるものであり、乾燥室の形状により噴流の噴射方向を調整できるという作用を有するものである。
【０２３７】
また、乾燥室をファンモータより低い位置に設けたものであり、本体の設置位置を高くすることが可能であるという作用を有する。
【０２３８】
また、少なくとも１組以上の回転ノズルを対向するように設置したものであり、使用者の手の両対面に噴流を当てることができる作用を有するものである。
【０２３９】
また、少なくとも１組以上の回転ノズルを対向するように設置し、回転方向を同一としたものであり、噴流の干渉を防止する作用を有するものである。
【０２４０】
また、少なくとも１組以上の回転ノズルを対向するように設置し、回転方向を逆回転としたものであり、手に付着した水滴を逆方向に吹き飛ばす作用を有するものである。
【０２４１】
また、乾燥室の少なくとも１面は静止ノズルで構成されたものであり、機構部品を用いず省スペースに噴流を発生できる作用を有する。
【０２４２】
また、乾燥室のノズル部が設置されていない面を開放としたものであり、使用者が手を入れる際の閉塞感を軽減する作用を有するものである。
【０２４３】
また、ファンモータを２個用いたものであり、噴流発生部より発生する噴流の風速及び風量を増加させる作用を有するものである。
【０２４４】
また、ファンモータを２個使用し、それぞれ送出された空気を合流させてノズル部へ送るものであり、より少ない流路で空気を送る作用を有するものである。また、それぞれ別の系統を設けて空気を送る場合は、風量及び圧力などに差を設けてノズル部へ送る作用を有する。
【０２４５】
また、ファンモータを２個使用し、上下に１個づつ配置したものであり、本体の設置位置を考慮した設計に対して選択するものである。
【０２４６】
以下、本発明の実施の形態について図面を参照しながら説明する。
【０２４７】
（実施の形態１）
本願発明の実施の形態１は、図１から図４に示すように、壁面に固定された手乾燥装置１は、手乾燥装置１の上部にノズル部２を持ち、ノズル部２から高速噴流を噴き出す方向に設置された水滴回収手段である乾燥室３を付属している。ノズル部２と乾燥室３の間に手を挿入して乾燥させるための処理空間４が手乾燥装置１の内部の自由空間に形成される。手乾燥装置１内にはファンモータ５、発熱手段６および制御手段７が設けられている。処理空間４の中に挿入された手を検知してファンモータ５および発熱手段６に通電するための検知手段８を手乾燥装置１の一部に付属している。ファンモータ５の上部に乾燥室３を設置しており、ノズル部２は乾燥室３の上部に位置している。
【０２４８】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【０２４９】
ノズル部２は軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【０２５０】
回転ノズル１３は軸受１０と連結されており、軸受１０はシール付きを使い、高圧部１４と大気圧部１５の両側に接触する構成としている。
【０２５１】
軸受１０の外径は回転ノズル１３の外径より小さく、軸受１０の内輪側を通過するように流路を設けている。
【０２５２】
回転ノズル１３は、成形可能な合成樹脂により形成されている。
【０２５３】
回転ノズル１３には、スリット状または多孔状の噴流発生部１６が少なくとも１つ以上あり、噴流発生部１６が回転ノズル１３の回転と共に場所を変化させる。手を引っ込めると検知手段８の検出がなくなるので、ファンモータ５および発熱手段６は停止する。このような運転の作業を制御手段７にて実施する。これに伴い高速噴流が停止するため、回転ノズル１３の回転も自動的に停止する。
【０２５４】
回転ノズル１３に噴流発生部１６が設置された噴流発生部設置面１７は、回転ノズル１３の回転軸１２と平行ではない。また、回転ノズル１３の回転軸１２は、床面に対して平行でない。
【０２５５】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎて水滴が除去しにくくなり乾燥効果が低下する。
【０２５６】
風速が１２０ｍ／ｓより速い場合は、回転ノズル１３の一部に制御翼１８を設置して回転数を調節することもできる。
【０２５７】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に自転装置２６を設け、回転ノズル１３を駆動させる構成とすれば噴流の風速によらず回転させることができる。
【０２５８】
回転ノズル１３はバランスの調節をするバランス調整部２１を有することでアンバランスを防ぐことができるため、振動の発生を防止できる。
【０２５９】
また、回転ノズル１３に設けた噴流発生部１６の流入側にメッシュを設けたことで、噴流の発生を変化させ、騒音を低減する効果を有することができる。
【０２６０】
回転ノズル１３は手が左右あるため、左右対称となるように複数配置すると、１個の設置より効果的である。この場合、複数個ある回転ノズル１３の回転軸１２が平行に設置されている。
【０２６１】
回転ノズル１３が左右で逆回転をすることで、左右それぞれの回転ノズル１３の噴流の干渉を防ぐことができるため、水滴が飛散することを防止することができる。
【０２６２】
また、回転ノズル１３の外側に静止した防護壁２２を設けて、使用者が回転ノズル１３に接触しにくくすることで安全に使用できるようにしている。
【０２６３】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
【０２６４】
なお、前記ファンモータ５は、一般的に掃除機などに使用される電動送風機であり、ブラシ付モータによるものおよびブラシレスモータによるものを含み、ターボファンを使用しモータの高速回転による温度上昇を冷却しながら送出するものである。
【０２６５】
（実施の形態２）
本発明の実施の形態２は、実施の形態１と同一部分については同一番号を付し、詳細な説明は省略する。
【０２６６】
図５に示すように、回転ノズル１３に設置された噴流発生部１６の形状をスリット形状の変わりに複数個の孔または楕円とすることで風量、風速を変化させることもできる。
【０２６７】
（実施の形態３）
本発明の実施の形態３は、実施の形態１または２と同一部分については同一番号を付し、詳細な説明は省略する。
【０２６８】
図６に示すように、回転ノズル１３に設置された噴流発生部１６を複数設置させることで、噴流が手に接触する機会が増加し、速やかに水滴を除去することができる。
【０２６９】
（実施の形態４）
本発明の実施の形態４は、実施の形態１から３のいずれかと同一部分については同一番号を付し、詳細な説明は省略する。
【０２７０】
図７に示すように、回転ノズル１３に設置された噴流発生部１６を複数箇所設け、噴流発生部１６の回転軸１２が通る中心点２７から最も遠い位置がそれぞれ異なることで、手の異なる部位に噴流を接触させることができ、速やかに水滴を除去することができる。
【０２７１】
（実施の形態５）
本発明の実施の形態５は、実施の形態１から４のいずれかと同一部分については同一番号を付し、詳細な説明は省略する。
【０２７２】
図８に示すように、複数の回転ノズル１３の各々に設置された噴流発生部１６の設置箇所や形状を変化させることで、手の各部位での水滴除去に最適な構成を作ることができる。
【０２７３】
（実施の形態６）
本発明の実施の形態６は、実施の形態１から５のいずれかと同一部分については同一番号を付し、詳細な説明は省略する。
【０２７４】
図９に示すように、同様に複数の回転ノズル１３の大きさを設置する場所によって変えることで乾燥時間を短縮させることもできる。
【０２７５】
（実施の形態７）
本発明の実施の形態７は、実施の形態１から６のいずれかと同一部分については同一番号を付し、詳細な説明は省略する。
【０２７６】
図１０、図１１に示すように、回転ノズル１３とは別に静止した静止ノズル２５を有することで、回転ノズル１３だけでは除去できない水滴を除去することができる。
【０２７７】
静止ノズル２５が左右にある回転ノズル１３の間に設置したり、静止ノズル２５が左右にある回転ノズル１３の周辺にあることも可能である。
【０２７８】
（実施の形態８）
本発明の実施の形態８は、実施の形態１から７のいずれかと同一部分については同一番号を付し、詳細な説明は省略する。
【０２７９】
図１２に示すように、複数個の回転ノズル１３の各々の回転軸１２を交差させることもできる。
【０２８０】
（実施の形態９）
本発明の実施の形態９は、実施の形態１から８のいずれかと同一部分については同一番号を付し、詳細な説明は省略する。
【０２８１】
図１３および図１４に示すように、乾燥室３は、ファンモータ５よりも低い位置に設置したりすることもでき、構成上の都合により設置方法を検討するべきである。
【０２８２】
（実施の形態１０）
本発明の実施の形態１０は、実施の形態１から９のいずれかと同一部分については同一番号を付し、詳細な説明は省略する。
【０２８３】
図１５から１８に示すように、壁面又は床面に固定された手乾燥装置１は、手を挿入し、付着した水滴を除去するための処理空間４を有しており、処理空間４は、手から除去された水滴が外部へ飛散しないよう処理空間４の周囲に乾燥室３が形成されている。また、乾燥室３の２つ以上の面にはノズル部２が設けられ、ノズル部２から処理空間４に向かって高速噴流を噴き出す構成となっている。手乾燥装置１内には例えば一般的に掃除機などに使用される電動送風機であり、ブラシ付モータによるものおよびブラシレスモータによるものを含み、ターボファンを使用しモータの高速回転による温度上昇を冷却しながら送出するファンモータ５及び、発熱手段６としての例えばＰＴＣヒータおよびマイコンを搭載した回路基盤としての制御手段７が設けられており、処理空間４の中に手が挿入されると、乾燥室３の一部に設けられた例えば赤外線センサによる検知手段８により手の存在を検知して制御手段７に検知信号を送り、制御手段７によりファンモータ５および発熱手段６の通電が開始される。また、使用者の手を検知手段８が検知しなくなると、制御手段７に検知信号を送らなくなり、制御手段７はファンモータ５および発熱手段６への通電を停止する制御をしている。
【０２８４】
上記構成において濡れた手を処理空間４に挿入すると、検知手段８により手の存在を検知して、ファンモータ５および発熱手段６を動作させる。これにより本体下部に設置された吸込口９から外部空気を吸込み、ファンモータ５と発熱手段６を経由して温風が形成されてノズル部２より送風される。このとき差し出した手に温風が当たり、手を乾燥させる。
【０２８５】
ノズル部２は軸受１０を経由して手乾燥装置１の静止部１１に設置されており、ノズル部２からの高速噴流による運動エネルギーの反力でノズル部２が回転軸１２を中心として回転する構成となっている。したがってノズル部２を回転ノズル１３と表現する。
【０２８６】
回転ノズル１３は軸受１０と連結されており、軸受１０はシール付きを使い、高圧部１４と大気圧部１５の両側に接触する構成としている。軸受１０の外径は回転ノズル１３の外径より小さく、軸受１０の内輪側を通過するように流路を設けている。
【０２８７】
回転ノズル１３は、成形可能な合成樹脂により形成されることで安価に製作が可能となり、且つ軽量とすることが可能となる。
【０２８８】
回転ノズル１３は例えば手の幅に合わせて直径８０〜１３０ｍｍとし、幅１．５〜２．５ｍｍのスリット状または直径２〜３ｍｍの多孔状の噴流発生部１６が少なくとも１つ以上を有し、噴流発生部１６が回転ノズル１３の回転と共に場所を変化させる。手を引っ込めると検知手段８の検出がなくなるので、ファンモータ５および発熱手段６は停止する。このような運転の作業を制御手段７にて実施する。これに伴い高速噴流が停止するため、回転ノズル１３の回転も自動的に停止する。
【０２８９】
回転ノズル１３に噴流発生部１６が設置された噴流発生部設置面１７は、回転ノズル１３の回転軸１２と平行としないことで単一平面に噴流を噴射する構成となり、対象物に絶え間なく噴流を当てることができる。また、回転ノズル１３の回転軸１２は、床面に対して平行でないようにすることで、使用者に対し、使い勝手の良い角度、例えば１０〜３０度の角度とすることで屈まずに手を挿入することができる。
【０２９０】
噴流発生部１６から噴射される噴流の風速は７０〜１２０ｍ／ｓとすることで、回転ノズル１３を駆動する力を伝達することができる。風速が７０ｍ／ｓより速くとなると回転ノズル１３が駆動しにくくなり、回転数が低下する。また風速が１２０ｍ／ｓより速くなると回転数が増加しすぎて水滴が除去しにくくなり乾燥効果が低下する。
【０２９１】
風速が１２０ｍ／ｓより速い場合は、回転ノズル１３の一部に制御翼１８を設置して回転数を調節することもできる。例えば制御翼１８は図１８に示すように回転方向に対して垂直に設置することにより、回転ノズル１３が回転した際に風を受けて抵抗となるため、回転力を減衰させる作用を利用して回転数を調節するものである。
【０２９２】
また、風速が７０ｍ／ｓより遅い場合は、回転ノズル１３をモータ１９にて駆動させる構成とするか、あるいはファンモータ５から回転ノズル１３までに空気を連通する流路２０を備え、流路２０の内にあり、回転ノズル１３の一部に例えば風を受けて回転する風車の作用を使った自転装置２６を設け、回転ノズル１３を駆動させる構成とすれば噴流の風速によらず回転させることができる。
【０２９３】
回転ノズル１３はバランスの調節をするバランス調整部２１を有することでアンバランスを防ぐことができるため、振動の発生を防止できる。バランス調整部２１は、回転ノズル１３の重心が回転軸１２と重ならない場合に用いるものであり、回転軸１２を中心とし回転ノズル１３の重心位置と反対位置にバランス調節部２１としての例えばリブ形状の肉厚部を設けることでアンバランスを解消するものである。
【０２９４】
また、回転ノズル１３に設けた噴流発生部１６の流入側にメッシュを設けたことで、噴流の発生前に渦を発生させることで噴流を変化させ、騒音を低減する効果を有することができる。メッシュは例えば２０〜８０メッシュサイズのステンレス製金網を使用しても良いし、樹脂製のプリネットフィルターを用いても良い。なお、設置方法としては、風の流れる方向に対し、垂直に設置すると効果がある。
【０２９５】
また、回転ノズル１３は手が左右あるため、左右対称となるように複数配置すると、１個の設置より効果的である。この場合、複数個ある回転ノズル１３の回転軸１２が平行に設置されていると手を横並びに挿入できる使い勝手の良いものとなる。
【０２９６】
回転ノズル１３が左回転と右回転となるような逆回転をすることで、左右それぞれの回転ノズル１３の噴流の干渉を防ぐことができるため、水滴が飛散することを防止することができる。
【０２９７】
また、回転ノズル１３の外側に静止した防護壁２２を設けて、使用者が回転ノズル１３に接触しにくくすることで安全に使用できるようにしている。
【０２９８】
乾燥室３にて回収した水滴は、乾燥室３にあるドレン穴２３を通過して、ドレンタンク２４に一定の量を溜められる。ドレンタンク２４は定期的にメンテナンスされ回収された水滴を廃棄するようになっている。
【０２９９】
（実施の形態１１）
本発明の実施の形態１１は、実施の形態１から１０のいずれかと同一部分については同一番号を付し、詳細な説明は省略する。
【０３００】
図１９及び図２０に示すように、回転ノズル１３に設置された噴流発生部１６の形状をスリット形状の変わりに複数個の孔または楕円とすることで風量、風速を変化させることもできる。例えば直径２〜３ｍｍの孔とすることで手の一点に集中して噴流を当てることができる。
【０３０１】
（実施の形態１２）
本発明の実施の形態１２は、実施の形態１から１１のいずれかと同一部分については同一番号を付し、詳細な説明は省略する。
【０３０２】
図２１及び２２に示すように回転ノズル１３に設置された噴流発生部１６を複数設置させることで、噴流が手に接触する機会が増加し、速やかに水滴を除去することができる。
【０３０３】
（実施の形態１３）
本発明の実施の形態１３は、実施の形態１から１２のいずれかと同一部分については同一番号を付し、詳細な説明は省略する。
【０３０４】
図２３及び２４に示すように回転ノズル１３に設置された噴流発生部１６を複数箇所設け、噴流発生部１６の回転軸１２から最も遠い位置がそれぞれ異なることで、手の各部位での水滴除去に最適な構成を作ることができる。例えば、スリット状の噴流発生部１６を半径方向に複数設置し、且つ回転軸１２に対しそれぞれ角度をつけることにより、それぞれの噴流発生部１６は手の別の部位に噴流を当てることができ、水滴を効率良く除去することができる。
【０３０５】
（実施の形態１４）
本発明の実施の形態１４は、実施の形態１から１３のいずれかと同一部分については同一番号を付し、詳細な説明は省略する。
【０３０６】
図２５及び２６に示すように複数の回転ノズル１３の各々に設置された噴流発生部１６の設置箇所や形状を変化させることで、手の各部位での水滴除去に最適な構成を作ることができる。
【０３０７】
（実施の形態１５）
本発明の実施の形態１５は、実施の形態１から１４のいずれかと同一部分については同一番号を付し、詳細な説明は省略する。
【０３０８】
図２７及び２８に示すように同様に複数の回転ノズル１３の大きさを設置する場所によって変えることで乾燥時間を短縮させることもできる。
【０３０９】
（実施の形態１６）
本発明の実施の形態１６は、実施の形態１から１５のいずれかと同一部分については同一番号を付し、詳細な説明は省略する。
【０３１０】
図２９から３２に示すように回転ノズル１３とは別に静止した静止ノズル２５を有することで、回転ノズル１３だけでは除去できない水滴を除去することができる。
【０３１１】
指先の水滴が除去できない場合は、例えば図２９及び３０に示すように静止ノズル２５が左右にある回転ノズル１３の間に設置することで親指周りの水滴を除去する構成としたり、例えば図３１及び３２に示すように静止ノズル２５が左右にある回転ノズル１３の周辺に設置することで指先や手の側面、指の間などの水滴を除去することで残水の無い乾燥が可能である。
【０３１２】
（実施の形態１７）
本発明の実施の形態１７は、実施の形態１から１６のいずれかと同一部分については同一番号を付し、詳細な説明は省略する。
【０３１３】
図３３及び３４に示すように複数個の回転ノズル１３の各々の回転軸１２を交差させることもできる。例えば、八の字に手を挿入する乾燥室を形成した場合には回転軸１２を交差させるように回転ノズル１３を配置することで、手に垂直に噴流を噴射することができ、乾燥効果の高い手乾燥装置が提供できる。
【０３１４】
（実施の形態１８）
本発明の実施の形態１８は、実施の形態１から１７のいずれかと同一部分については同一番号を付し、詳細な説明は省略する。
【０３１５】
図３５に示すように乾燥室３は、ファンモータ５よりも低い位置することで、本体の設置位置を高くすることができ、狭いトイレ空間内においても洗面台の横などに手乾燥装置を設置することができる。
【０３１６】
（実施の形態１９）
本発明の実施の形態１９は、実施の形態１から１８のいずれかと同一部分については同一番号を付し、詳細な説明は省略する。
【０３１７】
図３５に示すように少なくとも１組以上の回転ノズル１３が対向するように設置することで挿入された手の両面より噴流を当てることができ、乾燥時間短縮に効果がある。また、対向して設置した回転ノズル１３の回転方向を同一方向または逆回転とすることで水滴の除去方向を制御することができる。
【０３１８】
（実施の形態２０）
本発明の実施の形態２０は、実施の形態１から１９のいずれかと同一部分については同一番号を付し、詳細な説明は省略する。
【０３１９】
図３６に示すようにファンモータ５の能力に余裕があり、回転しなくとも十分乾燥時間を満足できる場合や、回転ノズル１３を設置するスペースが無い場合によっては、乾燥室３を形成する面の少なくとも１面は静止ノズル２５のみとすることも可能である。
【０３２０】
（実施の形態２１）
本発明の実施の形態２１は、実施の形態１から２０のいずれかと同一部分については同一番号を付し、詳細な説明は省略する。
【０３２１】
図３７に示すようにファンモータ５を２個使用することでさらに風量の増加が可能であるため、乾燥時間短縮に効果がある。また、図３８に示すように流路２０中で合流させる構成とすることで設置する流路は１つとなり、部品点数削減に効果がある。また、図３９に示すようにファンモータ５からの流路２０を２系統とすることで高圧空気の風量や圧力に差を設けてノズル部へ供給する際に有効である。また、図３９に示すようにファンモータ５を乾燥室３の上下に１個づつ配置することも可能である。
【産業上の利用可能性】
【０３２２】
本発明にかかる手乾燥装置は、噴流発生部が場所を移動することにより手乾燥を速やかに実施できると共に、噴流発生部を多く設置する必要がないため、ファンモータからの風量を少なくすることができるため本体の消費電力を少なくできるとともに本体の大きさをコンパクトにすることができるという効果がある。
【０３２３】
よって、洗面所やトイレ等で手を洗い、濡れた手を乾燥させる装置等に有効であり、また、一般的に液体によって濡れたものを乾燥させる用途としても適用できる。
【図面の簡単な説明】
【０３２４】
【図１】本発明の実施の形態１の構造を示す側断面図
【図２】同斜視図
【図３】同実施の形態１の一部の構造を示す側断面図
【図４】同実施の形態１の構造を示す斜視図
【図５】本発明の実施の形態２の構造を示す斜視図
【図６】本発明の実施の形態３の構造を示す斜視図
【図７】本発明の実施の形態４の構造を示す斜視図
【図８】本発明の実施の形態５の構造を示す斜視図
【図９】本発明の実施の形態６の構造を示す斜視図
【図１０】本発明の実施の形態７の構造を示す斜視図
【図１１】同実施の形態７の別の構造を示す斜視図
【図１２】本発明の実施の形態８の構造を示す斜視図
【図１３】本発明の実施の形態９の構造を示す斜視図
【図１４】同側断面図
【図１５】本発明の実施の形態１０の構造を示す側断面図
【図１６】同斜視図
【図１７】同斜視図
【図１８】同実施の形態１０の一部の構造を示す側断面図
【図１９】本発明の実施の形態１１の構造を示す斜視図
【図２０】同斜視図
【図２１】本発明の実施の形態１２の構造を示す斜視図
【図２２】同斜視図
【図２３】本発明の実施の形態１３の構造を示す斜視図
【図２４】同斜視図
【図２５】本発明の実施の形態１４の構造を示す斜視図
【図２６】同斜視図
【図２７】本発明の実施の形態１５の構造を示す斜視図
【図２８】同斜視図
【図２９】本発明の実施の形態１６の構造を示す斜視図
【図３０】同斜視図
【図３１】本発明の実施の形態１６の別の構造を示す斜視図
【図３２】同斜視図
【図３３】本発明の実施の形態１７の構造を示す斜視図
【図３４】同斜視図
【図３５】本発明の実施の形態１８及び１９の構造を示す斜視図
【図３６】本発明の実施の形態２０の構造を示す斜視図
【図３７】本発明の実施の形態２１の構造を示す一部断面を含む斜視図
【図３８】同一部断面を含む斜視図
【図３９】同側断面図
【図４０】従来の手乾燥装置の一例を示す縦断面図
【図４１】同斜視図
【図４２】従来の手乾燥装置の一例を示す斜視図
【図４３】同断面図
【符号の説明】
【０３２５】
１    手乾燥装置
２    ノズル部
３    乾燥室
４    処理空間
５    ファンモータ
６    発熱手段
７    制御手段
８    検知手段
９    吸込口
１０  軸受
１１  静止部
１２  回転軸
１３  回転ノズル
１４  高圧部
１５  大気圧部
１６  噴流発生部
１７  噴流発生部設置面
１８  制御翼
１９  モータ
２０  流路
２１  バランス調整部
２２  防護壁
２３  ドレン穴
２４  ドレンタンク
２５  静止ノズル
２６  自転装置
２７  中心点
【図１】
2007098106.tif 000003
【図２】
2007098106.tif 000004
【図３】
2007098106.tif 000005
【図４】
2007098106.tif 000006
【図５】
2007098106.tif 000007
【図６】
2007098106.tif 000008
【図７】
2007098106.tif 000009
【図８】
2007098106.tif 000010
【図９】
2007098106.tif 000011
【図１０】
2007098106.tif 000012
【図１１】
2007098106.tif 000013
【図１２】
2007098106.tif 000014
【図１３】
2007098106.tif 000015
【図１４】
2007098106.tif 000016
【図１５】
2007098106.tif 000017
【図１６】
2007098106.tif 000018
【図１７】
2007098106.tif 000019
【図１８】
2007098106.tif 000020
【図１９】
2007098106.tif 000021
【図２０】
2007098106.tif 000022
【図２１】
2007098106.tif 000023
【図２２】
2007098106.tif 000024
【図２３】
2007098106.tif 000025
【図２４】
2007098106.tif 000026
【図２５】
2007098106.tif 000027
【図２６】
2007098106.tif 000028
【図２７】
2007098106.tif 000029
【図２８】
2007098106.tif 000030
【図２９】
2007098106.tif 000031
【図３０】
2007098106.tif 000032
【図３１】
2007098106.tif 000033
【図３２】
2007098106.tif 000034
【図３３】
2007098106.tif 000035
【図３４】
2007098106.tif 000036
【図３５】
2007098106.tif 000037
【図３６】
2007098106.tif 000038
【図３７】
2007098106.tif 000039
【図３８】
2007098106.tif 000040
【図３９】
2007098106.tif 000041
【図４０】
2007098106.tif 000042
【図４１】
2007098106.tif 000043
【図４２】
2007098106.tif 000044
【図４３】
2007098106.tif 000045